(57)【要約】【課題】  原稿長によって電磁クラッチのオフ時間を可変とすることで、短い原稿のときはオフ時間を短く、長い原稿のときはオフ時間も長くするといった制御が可能である複写機の複合機の自動原稿給送装置を提供する。【解決手段】  画像形成装置における自動原稿給送装置において、原稿１の先後端を検知する先後端検知センサＳ１にて読み取り中の原稿長を検出し、その原稿長に応じて次ページ以降の電磁クラッチのオフ時間を可変とする。【選択図】        図１
2005089113.tif 000002
【特許請求の範囲】
【請求項１】
駆動装置による搬送手段の駆動を電磁クラッチによってオンオフすることにより、複数の原稿を順次読み取り位置に給送する自動原稿給送装置において、原稿の先後端を検知する先後端検知センサにて読み取り中の原稿長を検出し、先後端検知センサにより検出された原稿長に応じて次ページ以降の電磁クラッチのオフ時間を可変とすることを特徴とする自動原稿給送装置。
【請求項２】
前記先後端検知センサにて１枚目の原稿長を検出し、１枚目の原稿長を基準としてそれ以降の読み取り開始後の電磁クラッチオフ時間を決定することを特徴とする請求項１記載の自動原稿給送装置。
【請求項３】
前記先後端検知センサにて検出された前ページの原稿長にて、次ページの原稿搬送における電磁クラッチオフ時間を確定することを特徴とする請求項１記載の自動原稿給送装置。
【請求項４】
セットされた原稿束の１枚目の原稿読み取り開始時は電磁クラッチオフ制御を用いず、２枚目以降から前ページの原稿長に応じて、次ページの電磁クラッチオフ時間を確定することを特徴とする請求項３記載の自動原稿給送装置。
【請求項５】
請求項１ないし４のいずれか１項記載の自動原稿給送装置を備えたことを特徴とする画像形成装置。
【発明の詳細な説明】
【技術分野】
【０００１】
本発明は、複写機、プリンタ、ファクシミリ、或いはこれらの複合機等の画像形成装置における自動原稿給送装置およびこれを備えた画像形成装置に関する。
【背景技術】
【０００２】
自動原稿給紙装置の各部の作動をオンオフする電磁クラッチを制御する際に、連続コピー時の電磁クラッチの温度上昇を防止するために、モータが正転（原稿を搬送する方向に回転）駆動中に電磁クラッチの励磁オフ時間を設けることは既知の技術である（例えば、特許文献１および２参照）。
【特許文献１】特開２００２−２４９２４６公報
【特許文献２】特開２００３−０６３６７６公報
【発明の開示】
【発明が解決しようとする課題】
【０００３】
複写機等の画像形成装置においては、原稿を分離する分離部と原稿を読み取る読み取り部とが共通の駆動装置（モータ等）によって駆動され、かつ複数枚セットされた原稿の頁間を制御するため、前記分離部のフィードローラ軸への駆動連結を電磁クラッチによって制御する構成を有する自動原稿給紙装置が使用される。
自動原稿給紙装置の電磁クラッチ制御において、１枚の原稿を搬送する間の制御において、連続コピー時の電磁クラッチの温度上昇を防止するために、モータが正転（原稿を搬送する方向に回転）駆動中に電磁クラッチの励磁オフ時間を設けることは上述したごとく知られている。
電磁クラッチのオン／オフ時間比率（デューティ）は電磁クラッチ自身の温度上昇に直接影響を与えるもので、デューティ（Ｄｕｔｙ）が高いほど、温度も上昇してしまう。
そのため、これまでは１枚の原稿を搬送する間にモータが正転駆動中に電磁クラッチの励磁オフ時間を設けるという制御を用いることによって、温度上昇を防止してきた。
ところが、前述したような原稿を分離する分離部と原稿を読み取る読み取り部とが共通の駆動装置（モータ等）によって駆動され、前ページと次ページとのページ間長さを搬送ローラの周速差によって生み出している構成の自動原稿給送装置においては、分離部の電磁クラッチがオフしている間は次ページを送り出すことができない。
つまり、読み取り開始した原稿の後端がオフ時間中に分離部を抜けた場合、残りのオフ時間はページ間長さとなってしまう。このオフ時間が固定の場合、長尺の原稿ではページ間に影響が出ない。
【０００４】
しかしながら、短尺の原稿では、読み取り開始後すぐに後端が分離部を抜けてしまうので、ページ間が開く傾向にある。これは短尺原稿使用時の単位時間当たりの読み取り枚数が下がることになってしまう。
従来機では、分離部の下流にセンサを設けることで前頁の後端を検知し、分離部を後端が抜けた直後に次頁を給紙（電磁クラッチを励磁）する制御等にて対応しているが、これらはセンサの数が増えるため、コストアップとなる。
また、レイアウト的にセンサを入れることが困難な装置の場合、装置自体が大きくなってしまう等の副作用が発生する。
本発明の目的は、上述した実情を考慮してなされたもので、原稿長によって電磁クラッチのオフ時間を可変とすることで、短い原稿のときはオフ時間を短く、長い原稿のときはオフ時間も長くするといった制御が可能である複写機の複合機の自動原稿給送装置を提供することにある。
【課題を解決するための手段】
【０００５】
上記の課題を解決するために、請求項１に記載の発明は、画像形成装置における自動原稿給送装置において、原稿の先後端を検知する先後端検知センサにて読み取り中の原稿長を検出し、その原稿長に応じて次ページ以降の電磁クラッチのオフ時間を可変とする自動原稿給送装置を特徴とする。
また、請求項２に記載の発明は、前記先後端検知センサにて１枚目の原稿長を検出し、１枚目の原稿長にて以降の読み取り開始後の電磁クラッチオフ時間を決定する請求項１記載の自動原稿給送装置を特徴とする。
また、請求項３に記載の発明は、前記先後端検知センサにて検出された前ページの原稿長にて、次ページの電磁クラッチオフ時間を確定する請求項１記載の自動原稿給送装置を特徴とする。
また、請求項４に記載の発明は、セットされた原稿束の１枚目の原稿読み取り開始時は電磁クラッチオフ制御を用いず、２枚目以降から前ページの原稿長に応じて、次ページの電磁クラッチオフ時間を確定する請求項３記載の自動原稿給送装置を特徴とする。
また、請求項５に記載の発明は、請求項１ないし４のいずれか１項記載の自動原稿給送装置を備えた画像形成装置を特徴とする。
【発明の効果】
【０００６】
本発明によれば、原稿長によって電磁クラッチのオフ時間を可変とすることによって、短い原稿のときはオフ時間を短く、長い原稿のときはオフ時間も長くするといった制御が可能である。
【発明を実施するための最良の形態】
【０００７】
以下、図面を参照して、本発明の実施形態を詳細に説明する。図１は本発明による自動原稿給送装置のレイアウトを示している概略図である。図において読み取り面を上向きにセットされた原稿１がピックアップローラ２を通って先後端検知センサＳ１を通過してリバースローラ３とフィードローラ４のニップ部に入る。
さらに、原稿１はＲ０ローラ（搬送ローラ）５を通り、読み取り面を下向きにしてＲ１ローラ６を通りキセノンランプ９で露光され、Ｒ２ローラ７を通過して排出ローラ８から排出される。この構成において、図示してないがフィードローラ４の軸上には電磁クラッチが配置される。
従来技術である読み取り開始から所定の時間電磁クラッチをオフする制御方法に対して、本発明では原稿の先後端を検知する先後端検知センサＳ１にて読み取り中の原稿長を検出し、その原稿長に応じて次ページ以降の電磁クラッチのオフ時間を可変とする。
各種ローラ２、３、４、５、６等を電磁クラッチによりオンオフすることにより、複数の原稿を順次読み取り位置に給送することができる。請求項において  搬送手段とは、電磁クラッチによって作動するローラ類を含む。
【０００８】
図２は図１の自動原稿給送装置の作動を説明するタイミングチャートである。図３は本発明による自動原稿給送装置の制御の第１の実施の形態を説明する図である。
一枚の原稿の先端が先後端検知センサを通過してから同一原稿の後端が同一センサを通過するまでの時間と、搬送速度（パルスモータの場合はパルス数）に基づいて、図示しない制御手段が当該原稿の長さを算出することにより、電磁クラッチをオフする時間を確定できる（ステップ１〜４）。
原稿長によって電磁クラッチのオフ時間を可変とすることで、短い原稿のときはオフ時間を短く、長い原稿のときはオフ時間も長くするといった制御が可能である。
これにより、短い原稿の時にページ間隔が開きすぎてＣＰＭが悪化するというようなことを防ぐことができる。この機能には原稿長を検出するのに既存の先後端検知センサ（フォトセンサ、リミットスイッチ等）を用いることで、コストアップなく実施できる。
本発明では検出された原稿長についての情報は、一部の原稿束中の次ページ以降の電磁クラッチオフ時間にしか適用できないが、過度の温度上昇は連続通紙よって起こる現象なので、一部の原稿束中における次ページ以降でも十分効果はあるものと考えられる。
図４は本発明による自動原稿給送装置の制御の第２の実施の形態を説明する図である。１ページ目の原稿長確定後（ステップ１０、１１、１２）、次ページ以降の電磁クラッチオフ時間を確定し（ステップ１３）、次ページ以降の原稿については同一のオフ時間で電磁クラッチを制御する。この制御によれば安価に比較的小さな制御変更にて実現できる。
【０００９】
図５は本発明による自動原稿給送装置の制御の第３の実施の形態を説明する図である。セットされた原稿束の１枚目の原稿長のみでそれ以降のオフ時間が決まってしまうので、１枚目だけを短尺の表紙で使用する習慣が存在した場合、繰り返しの連続使用にて過度の温度上昇を招いてしまう可能性がある。
この制御では、まず、先後端検知センサにて検出された前ページの原稿長にて、次ページの電磁クラッチオフ時間を確定する（ステップ２０〜２４）。これを１ページから、２ページと、１ページごとに順次算出してゆき、電磁クラッチオフ時間が更新されていくので、温度上昇に対する信頼性が高くなる（ステップ２５〜３６）。温度上昇は連続使用によって生じるので、本制御でも十分な効果が得られる。
また、短尺原稿がセットされている場合でも、１枚目と２枚目のページ間を除いては、オフ時間を最適化して行けるので、単位時間当たりの読み取り枚数が向上する。
図６は本発明による自動原稿給送装置の制御の第４の実施の形態を説明する図である。この制御ではセットされた原稿束の１枚目の原稿読み取り開始時は電磁クラッチオフ制御を用いず（ステップ４０）、２枚目以降から前ページの原稿長に応じて、次ページの電磁クラッチオフ時間を確定する（ステップ４１〜５６）。
この制御によれば、短尺原稿の場合でも１枚目と２枚目のページ間を短くすることができ、単位時間当たりの読み取り枚数がさらに向上するとともに、２枚目以降は前ページの原稿長に応じて、次ページの電磁クラッチオフ時間を確定するので実使用上温度上昇の心配もない。
【図面の簡単な説明】
【００１０】
【図１】本発明による自動原稿給送装置のレイアウトを示している概略図。
【図２】図１の自動原稿給送装置の作動を説明するタイミングチャート。
【図３】本発明による自動原稿給送装置の制御の第１の実施の形態を説明する図。
【図４】本発明による自動原稿給送装置の制御の第２の実施の形態を説明する図。
【図５】本発明による自動原稿給送装置の制御の第３の実施の形態を説明する図。
【図６】本発明による自動原稿給送装置の制御の第４の実施の形態を説明する図。
【符号の説明】
【００１１】
１  原稿
Ｓ１  先後端検知センサ
【図１】
2005089113.tif 000003
【図２】
2005089113.tif 000004
【図３】
2005089113.tif 000005
【図４】
2005089113.tif 000006
【図５】
2005089113.tif 000007
【図６】
2005089113.tif 000008